(57)【要約】【課題】棚部材を有する設備において、効率よく照明できる照明システムを提供する。【解決手段】照明装置１０は、第１方向に間隔を開けて配置され、第１の方向と交わる方向に延在する一対の棚部材２１，２２の上に設けられ、棚部材２１，２２から下の面を照明する。照明装置１０は、一対の棚部材２１，２２の上部に延在し、棚部材２１，２２の上部に固定するための固定部を有する平板部１１と、平板部１１の下面に設けられ、ＬＥＤ１２ｂおよび導光板１２ａと、導光板ａ１２の下面に設けられた保持部材とを含む。【選択図】図１
2012119133.tif 000002
【特許請求の範囲】
【請求項１】
第１方向に間隔を開けて配置され、前記第１の方向と交わる方向に延在する一対の棚部材の上に設けられ、前記棚部材から下の面を照明する照明装置であって、
前記一対の棚部材の上部に延在し、前記棚部材の上部に固定するための固定部を有する平板部と、
前記平板部の下面に設けられ、ＬＥＤおよび導光板と、
前記導光板の下面に設けられた保持部材とを含む、照明装置。
【請求項２】
前記導光板は下面の所定の位置に設けられた光拡散部を含む、請求項１に記載の照明装置。
【請求項３】
前記ＬＥＤはヒートシンクと一体化されている、請求項１または２に記載の照明装置。
【請求項４】
前記平板部の少なくとも中央部は透光部を有する、請求項１〜３のいずれかに記載の照明装置。
【請求項５】
マトリック状に配列され、それぞれが矩形状の開口部を有する複数の支持部を有する枠部材と、
前記支持部に着脱自在に支持される照明ユニットとを含み、
前記照明ユニットはＬＥＤおよび導光板を含む、照明システム。
【請求項６】
前記ＬＥＤはヒートシンクと一体化されている、請求項５に記載の照明システム。
【請求項７】
マトリック状に配列され、それぞれが矩形状の開口部を有する複数の支持部を有する枠部材と、
前記枠部材に取付けられたＬＥＤと、
前記ＬＥＤに対向する端面を有する導光板とを含み、
前記導光板は前記枠部材に対して着脱自在に取付けられる、照明システム。
【発明の詳細な説明】
【技術分野】
【０００１】
この発明はＬＥＤを用いた照明装置および照明システムに関し、特に、効率よく照明が可能な照明装置および照明システムに関する。
【背景技術】
【０００２】
複数の棚を有する設備において、棚の照明を考慮した構成がたとえば、特開２０１０―１９８７９２号公報（特許文献１）に開示されている。この公報によれば、棚の棚本体は、光を透過する導光板として機能する。照明システムは、棚本体の後端部に着脱可能に取り付けられるフレームと、フレームに取り付けられて棚本体の後端面に対向するＬＥＤとを備える。ＬＥＤアレイが発光することにより、この光が棚本体の内部に導かれ、棚本体の表面にある光拡散部から上方に拡散される。これにより、棚本体上の物品を照らしている。
【先行技術文献】
【特許文献】
【０００３】
【特許文献１】特開２０１０−１９８７９２号公報
【発明の概要】
【発明が解決しようとする課題】
【０００４】
従来の、複数の棚を有する装置における照明システムは上記のように構成されていた。このような構成では、棚の照明としては十分と思われるが、ＬＥＤアレイや導光板が複数必要になり、コストがかかり、あまり効率的ではないという問題があった。
【０００５】
この発明は上記のような問題点を解消するためになされたもので、棚部材を有する設備において、効率よく照明できる照明装置および照明システムを提供することを目的とする。
【課題を解決するための手段】
【０００６】
この発明に係る照明装置は、第１方向に間隔を開けて配置され、第１の方向と交わる方向に延在する一対の棚部材の上に設けられ、棚部材から下の面を照明する。照明装置は、一対の棚部材の上部に延在し、棚部材の上部に固定するための固定部を有する平板部と、平板部の下面に設けられ、ＬＥＤおよび導光板と、導光板の下面に設けられた保持部材とを含む。
【０００７】
好ましくは、導光板は下面の所定の位置に設けられた光拡散部を含む。
【０００８】
さらに好ましくは、ＬＥＤはヒートシンクと一体化されている。
【０００９】
また、平板部の少なくとも中央部は透光部を有するのが好ましい。
【００１０】
この発明の他の局面に係る照明システムは、マトリック状に配列され、それぞれが矩形状の開口部を有する複数の支持部を有する枠部材と、支持部に着脱自在に支持される照明ユニットとを含む。照明ユニットはＬＥＤおよび導光板を含む。
【００１１】
好ましくは、ＬＥＤはヒートシンクと一体化されている。
【００１２】
この発明のさらに他の局面においては、照明システムは、マトリック状に配列され、それぞれが矩形状の開口部を有する複数の支持部を有する枠部材と、枠部材に取付けられたＬＥＤと、ＬＥＤに対向する端面を有する導光板とを含み、導光板は枠部材に対して着脱自在に取付けられる。
【発明の効果】
【００１３】
この発明においては、照明装置は、一対の棚部材の上部に延在し、棚部材の上部に固定するための固定部を有する平板部と、平板部の下面に設けられたＬＥＤおよび導光板と、導光板の下面に設けられた保持部材とを含むため、棚部材をその上部から効率よく照明できる。
【図面の簡単な説明】
【００１４】
【図１】棚部材の照明装置の全体構成を示す斜視図である。
【図２】図１においてＩＩで示す部分の拡大図である。
【図３】照明装置を示す斜視図である。
【図４】照明装置の細部を示す図である。
【図５】照明ユニットを連続して設けた場合の照明装置を示す斜視図である。
【図６】照明システムの基本となる照明ユニットを保持する枠組構造を示す図である。
【図７】図６においてＶＩＩ−ＶＩＩで示す部分を示す図である。
【図８】照明ユニットを示す斜視図である。
【図９】照明ユニットの細部を示す図である。
【図１０】照明システムの他の例を示す図である。
【図１１】照明システムのさらに他の例を示す図である。
【発明を実施するための形態】
【００１５】
以下、この発明の一実施の形態を、図面を参照して説明する。図１はこの発明をサーバのような主要なコンピュータを収容する棚の照明装置として用いた場合の全体構成を示す斜視図である。図１を参照して、人が通過可能な通路３０の幅Ｗ（第１方向の間隔）を開けて、対向して、サーバを収容した一対の棚部材２１，２２が配置されている。棚部材２１，２２は、幅方向に直交する通路方向（第２方向）に所定の長さを有する。一対の棚部材２１，２２の上端部には、これを覆うように照明装置１０が設けられている。照明装置１０はそれぞれの棚部材の上端部に固定されている。
【００１６】
棚部材２１，２２は、図１において矢印で示すように開閉する一対の扉２１ａ，２１ｂを有している。この扉２１ａ，２１ｂを開けると、複数の棚板が設けられおり、棚板の上に、サーバ等が載置される。なお、ここでは、サーバ等の図示は省略する。また、棚部材２１，２２の通路３０に面した側のみに扉２１ａ，２１ｂを有し、それ以外の、背面、両側面、天井、床面を含む他の面は全て閉じられているものとする。
【００１７】
図２は図１においてＩＩで示した、照明装置１０が棚部材２２の通路側上端部に固定される部分の詳細を示す拡大図である。図２を参照して、照明装置１０は、棚部材２２の通路側の上端部２２ａと通路側の上端部から下方向に延在する部分２２ｂに沿って取付けられる。なお、扉２１ａ，２１ｂは照明装置１０の下部に設けられている。
【００１８】
照明装置１０は、棚部材２２の通路側の上端部２２ａと通路側の上端部から下方向に延在する部分２２ｂに沿う折り曲げ部材（保持部材）１７と、棚部材の上端部２２ａ折り曲げ部材１７の上に設けられるアルミの板で形成された平板部１１とを含む。平板部１１は棚部材２１，２２の上部に位置する外周部のみがアルミ製であり、透明、または、少なくとも中央部は透光性を有するのが好ましい。
【００１９】
折り曲げ部材１７は、上端部２２ａに沿って延在する平面部１７ａと、平面部１７ａに直交する垂直部１７ｂと、垂直部１７ｂに直交する平面部１７ｃとが連続した逆Ｚ字状を有している。
【００２０】
照明装置１０はさらに、平板部１１と平面部１７ｃとの間に設けられた導光板１２ａやＬＥＤ１２ｂ等を含む。平板部１１と平面部１７ｃとの間は２層に分かれており、平板部１１側には両端にＬＥＤ１２ｂを有し、ＬＥＤ１２ｂに挟まれるように設けられたアクリル板からなる導光板１２ａが設けられている。ＬＥＤ１２ｂはアルミの板で形成された第１ヒートシンク１５に取付けられている。導光板１２ａを構成するアクリル板の下面には導光板１２ａと同じ寸法を有するアクリル板１３が設けられている。導光板１２ａとＬＥＤ１２ｂとの間には空間が設けられており、同じ空間を開けて、ヒートシンク１５の下には同じくアルミで形成された第２ヒートシンク１６が設けられている。折り曲げ部材１７の平面部１７ｃはその端部が導光板１２ａ，アクリル板１３の端部を保持可能な位置まで延在する。なお、図示は省略しているが、平板部１１と折り曲げ部材１７の平面部１７ａとは接着等により一体化されており、これが棚部材２２ａの上面にねじ等で固定されている。また、棚部材２１側においても棚部材２１と照明装置との間の接続状態は同じである。
【００２１】
このような構成であれば、平板部１１と平面部１７ａとを接続するねじを外すことによって照明装置１０を棚部材２１，２２から容易に取外すことができ、照明装置の保守が容易になる。
【００２２】
なお、導光板１２ａの下面に設けられたアクリル板１３および第２ヒートシンクは省略してもよい。
【００２３】
図３は導光板１２ａのＬＥＤ１２ｂに対向する部分を示す図である。図３（Ａ）は平面図であり、図３（Ｂ）は図３（Ａ）において、矢印Ｂ−Ｂで示す部分の断面図である。図３を参照して、導光板１２ａは透明部１２ｄと、ＬＥＤ１２ｂからの光を外部へ拡散するシルク印刷された部分（光拡散部）１２ｃとを含み、シルク印刷された部分１２ｃは、導光板１２ａのＬＥＤ１２ｂ側の一定幅の部分のみである。この幅の寸法は要求される照明装置の照度に応じて変化する。
【００２４】
なお、棚部材２１，２２に設けられた照明装置１０の上部には、通常のように、その部屋の天井に設けられた照明器具１９が取付けられおり、照明装置１０の中央部は透明の導光板１２ａ、アクリル板１３のみが設けられているため、通常は、照明装置１０を作動することなく、照明器具１９のみで問題はない。棚部材２１，２２の内部をチェックする場合にのみ照明装置１０のＬＥＤを作動させる。
【００２５】
次に、照明装置１０の要部の具体的構成について説明する。図４は照明装置１０の要部の具体的構成を示す斜視図であり、図１に示した照明装置１０を反転して示している。ここではクリータイプのＬＥＤ１２ｂを組み込んだ場合を示しているが、ＭＣＭタイプであってもよい。
【００２６】
図４を参照して、照明装置１０は、平板部１１と平板部１１の上に設けられた折り曲げ板１７とを含む。平板部１１と折り曲げ板１７の折り曲げられた平面部１７ｃとの間には矩形のヒートシンク１５，１６が設けられ、一方側のヒートシンク１５の平面部１７ｃ側にＬＥＤ１２ｂが固定されている。ヒートシンク１５，１６は、棚部材２１，２２の長手方向（第２方向）に延在し、この方向に沿って複数のＬＥＤ１２ｂが所定の間隔を隔てて一列に整列して取付けられている。このＬＥＤ１２ｂのヒートシンク１５への取付けは、両面テープや接着剤によって行なわれている。また、ヒートシンク１５のＬＥＤ１２ｂの反対側の面には、図示のない配線が設けられている。
【００２７】
複数のＬＥＤ１２ｂが取付けられたヒートシンク１５ａ，１５ｂの間には、ＬＥＤ１２ｂに対向する入射面を有する直方体状の導光板１２ａが設けられている。導光板１２ａはアルミ製の平板部１１に接着剤等で固定されている。
【００２８】
次に、ヒートシンク１５ａ，１５ｂとアルミ製の折り曲げ板１７の垂直部１７ｂとの取付け方法について説明する。図４を参照して、折り曲げ板１７の外側（棚部材側）にはねじ孔１８ａ，１８ｂが設けられている。また、ヒートシンク１５ａ，１５ｂのねじ孔１８ａ，１８ｂに対応する位置にも図示のないねじ孔が設けられている。このねじ孔１８ａ，１８に図示のないねじを挿入することによってアルミ製の折り曲げ板１７に対してヒートシンク１５，１６を着脱自在に取付け可能となる。一方、ヒートシンク１５ａ，１５ｂにはＬＥＤ１２ｂが取付けられているため、ヒートシンク１５ａ、１５ｂをアルミ製の導光折り曲げ板１７から外すことによって、複数のＬＥＤ１２ｂを一度に取り替えることが可能になる。
【００２９】
ここでヒートシンク１５，１６について説明する。ヒートシンク１５，１６は矩形の断面を有するアルミ製であり、熱伝導率が高いため、放熱性がよい。また、ヒートシンク１５，１６を、折り曲げ板１７と平板部１１とで挟み、且つ、導光板１２ａ等を平板部１１と一体化したため薄くて軽く、照明システム１０全体からの放熱が可能になる。
【００３０】
また、ねじ等を用いて照明装置１０を棚部材２１，２２から着脱自在に取付け可能したため、照明装置のメンテナンスが容易になる。
【００３１】
なお、上記実施の形態においては、一対の棚部材の上に単一の照明装置１０を載置する場合について説明したが、これに限らず、棚部材間の寸法が大きい時は、照明装置を複数の照明ユニットで構成し、複数の照明ユニットを接続部材で接続してもよい。その場合の構成を図５に示す。
【００３２】
図５を参照して、照明装置４０は第１照明ユニット４０ａと、第２照明ユニット４０ｂと、第１照明ユニット４０ａと第２照明ユニット４０ｂとを接続する接続部材２７とを含む。それぞれの照明ユニット４０ａと４０ｂとの基本構成は照明装置１０と同様である。すなわち、照明ユニット４０ａ，４０ｂのそれぞれは、一方の棚部材２１の通路側の上端部に設けられ、折り曲げ部材１７と同様の形状を有する第１折り曲げ部材２５ａと、その反対側に設けられ、第１折り曲げ部材２５ａに対して通路側において線対称に折り曲げられた第２折り曲げ部材２５ｂと、第１および第２折り曲げ部材２５ａ，２５ｂの上に設けられアルミの板で形成された第３折り曲げ部材２６とを含み、両者の間にＬＥＤや導光板１２ａ等が挟まれている。
【００３３】
なお、第１および第２折り曲げ部材２５ａ，２５ｂはそれぞれの通路方向の端部において、さらに下方向に延在する部分２５ｃを有する。また、第３折り曲げ部材２６は、中央部に設けられた平端部２６ａと平端部２６ａの両端部において、第１および第２折り曲げ部材２５ａ，２５ｂの垂直部（先の実施の形態における垂直部１７ｂに対応）に沿った垂直部２６ｂと、垂直部２６ｂの上端部から水平方向に第１および第２折り曲げ部材２５ａ，２５ｂの水平部（先の実施の形態における平面部１７ａに対応）に沿った部分２６ｃを有する。なお、ここでも、平端部２６ａは透光性を有するものとする。
【００３４】
第１照明ユニット４０ａと第２照明ユニット４０ｂとを接続する接続部材２７は、第１照明ユニット４０ａの折り曲げ部材２５ｂの端部に設けられた下方向に延在する部分２５ｃと、第２照明ユニット４０ｂの折り曲げ部材２５ａの端部に設けられた下方向に延在する部分２５ｃとをそれぞれの外側から挟むＵ字状の溝を有する。第１照明ユニット４０ａと第２照明ユニット４０ｂとの重量が軽い時は、接続部材２７で下方向に延在する部分２５ｃを挟むだけでも十分両者を連結保持可能である。
【００３５】
一方、重量が重くなる時は接続部材２７の下部に、折り曲げ部材２５ａの延在する方向（紙面に交わる方向）に図示のない支持部材を設け、この支持部材で接続部材２７を支持してもよい。このとき、支持部材２７は通路３０に設けられた図示のない支持具で支持するものとする。この場合、図５に示すように、それぞれの折り曲げ部材の下方向に延在する部分２５ｃ間に間隔を設け、ここに、ねじのような、図示のない支持部材との接続部を設ける。
【００３６】
また、ここでは、それぞれの折り曲げ部材の棚部材２１，２２の上部に位置する部分は棚部材２１，２２の上部に設けられた板２８で支持しているが、これに限らず、折り曲げ部材を連続して設け、連続する折り曲げ部材を接続部材２７で支持し、この接続部材を棚部材の上で支持するようにしてもよい。
【００３７】
なお、上記実施の形態においては、一対の棚部材とその上に設けられた照明装置のみを図示したが、この対が複数横方向（第１方向）や、縦方向（第２方向）に連続的に設けられていてもよい。この場合、図５に示す照明ユニット４０ａ等が連続して設けられてもよい。
【００３８】
また、この場合、この照明装置が設けられた部屋を照明装置で上下に区切るようにしてもよい。こうすれば、たとえば、空調装置を照明装置の下部のみで作動させることにより、空調に必要なコストを削減できる。
【００３９】
次に、この発明のさらに他の実施の形態について説明する。図６はこの発明に係る照明ユニットを照明システムに用いた場合の照明ユニットを保持する枠部材を示す図である。図６を参照して、枠部材５１はマトリック状に配列され、それぞれが矩形状の開口部５２を有する複数の支持部５３を含む。それぞれの支持部５３は、縦方向に配列され、所定の幅と高さを有する複数の縦方向部材５４と、縦方向部材５４の直交するように横方向に配列され、所定の幅と高さを有する複数の横方向部材５５とが交わって構成される。それぞれの支持部５３は同一形状を有しているのが好ましい。
【００４０】
図７は図６において、矢印ＶＩＩ-ＶＩＩで示した部分の断面図に、支持部５３に支持されるこの実施の形態に係る照明ユニット６０を載置した状態を示す図である。図７を参照して、縦方向部材５４および横方向部材５５はそれぞれ、その下端部に横方向に延在する突出部５４ａ，５５ａを含み、これらの突出部５４ａ，５５ａによって照明ユニット６０が支持されている。なお、照明ユニットは全ての支持部５３に設ける必要はなく、必要な箇所のみに設け、他の部分には短なる装飾された板等を設けてもよい。
【００４１】
次に、この実施の形態に係る照明ユニット６０の詳細について説明する。図８はこの実施の形態における照明ユニット６０の斜視図であり、図９は図８においてＩＸ-ＩＸで示す部分の断面図である。図８および図９を参照して、照明ユニット６０は、全体が縦方向に薄い直方体状である。照明ユニット６０は、照明ユニット６０の外周部を覆い、断面が「コ」の字状の、アルミ板で形成された外装部６１と、外装部６１の「コ」の字を構成する上下の辺によって保持された導光板６２と、導光板６２の縦方向の端面に対向する位置に設けられたＬＥＤ６３と、ＬＥＤ６３を保持するとともにＬＥＤ６３からの熱を逃がすための、矩形の断面を有するアルミ製のヒートシンク６４とを含む、ヒートシンク６４は外装部６１に当接するように設けられている。また、ＬＥＤ６３とヒートシンク６４とは一体化されている。
【００４２】
また、ＬＥＤ６３に対向する導光板６２の下方面には、光を拡散させるためのドット状のシルク印刷パターンが設けられる。なお、ＬＥＤ６３は、照明ユニット６０を構成する４つの辺の各々に設けてもよいし、縦方向、または、横方向のいずれかの辺において対になるように設けてもよいし、いずれかの辺にのみ設けるようにしてもよい。
【００４３】
以上のように、この実施の形態においては、照明ユニット６０を枠部材５１に着脱自在になるよう、載置可能に構成したため、必要な箇所のみに照明ユニットを提供できる照明システムを提供できる。
【００４４】
次にこの発明のさらに他の実施の形態について説明する。図１０はこの発明のさらに他の実施の形態を示す図であり、先の実施の形態における図９に対応する。この実施の形態においては、照明ユニットを保持する枠部材にヒートシンクとＬＥＤとを組み込み、アクリル板で構成される導光板本体を枠部材から着脱自在に構成したものである。
【００４５】
図１０を参照して、この実施の形態においては、枠部材７１の基本的な構成は先の実施の形態と同様である。すなわち、枠部材７１は縦方向部材７４と、縦方向部材７４と直交するように横方向に配列され、所定の幅と高さを有する複数の横方向部材７５とが交わって構成される。それぞれの部材７４、７５の下端部には横方向に延在する突出部を有する（ここでは、部材７４の下端部に延在する突出部７４ａのみを示している）。
【００４６】
部材７４には垂直方向に延在する部材７４ｂと下端部に延在する部分７４ａとの一部を用いて矩形状の断面を有して縦方向に延在するヒートシンク７３と、ヒートシンク７３の開口部５２側に設けられたＬＥＤ７２とが設けられている。ＬＥＤ７２に対向する部分には、アクリル板で構成された導光板７６が設けられる。
【００４７】
突出部７４ａはヒートシンク７３を構成する部分よりも対向する突出部側に延在し、この部分に導光板７６の端部が支持され、導光板７６は枠部材７１に対して着脱自在に設けられる。
【００４８】
なお、ここでは、横方向部材７５にはヒートシンクやＬＥＤを設けないが、必要に応じて横方向部材７５にもヒートシンクやＬＥＤを設けてもよい。
【００４９】
また、ヒートシンクが矩形状の断面を有する場合について説明したが、この形状に限るものではない。また、縦方向部材７４全体をヒートシンクとしてもよい。
【００５０】
次に、この実施の形態の変形例について説明する。図１１はこの変形例を示す図である。この実施の形態においては、縦方向部材７４ｃはＬ字状であり、矩形の断面を有するヒートシンク７３ａは縦方向部材７４ｃとは別に設けられている点が先の実施の形態と異なる。それ以外の部分については、先の実施の形態における参照番号と同じ参照番号を付してその説明は省略する。なお、この実施の形態においては、ヒートシンク７３ａは縦方向部材７４ｃにねじ等７７で固定される。すなわち、この実施の形態においては、導光板７６だけでなく、ヒートシンク７３ａ自体も縦方向部材７４ｃから着脱自在になる。
【００５１】
なお、上記実施の形態においては、導光板本体をアクリル板で構成した場合について説明したが、これに限らず、光の透過性を有し、かつ、自己消化性を有するものであればよい。すなわち、ガラスであってもよいし、ポリカーボネイトであってもよい。
【００５２】
また、この実施の形態においても、照明システムの上方に、別の照明器具を設けてもよい。
【００５３】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００５４】
この発明に係る照明装置は、棚部材をその上部から効率よく照明できるため、照明装置として有利に利用される。
【符号の説明】
【００５５】
１０  照明装置、１１  平板部、１２ａ  導光板、１２ｂ  ＬＥＤ、１３  アクリル板、１５  第１ヒートシンク、１６  第２ヒートシンク、１７  折り曲げ部材、２１，２２  棚部材、３０  通路。 
【図１】
2012119133.tif 000003
【図２】
2012119133.tif 000004
【図３】
2012119133.tif 000005
【図４】
2012119133.tif 000006
【図５】
2012119133.tif 000007
【図６】
2012119133.tif 000008
【図７】
2012119133.tif 000009
【図８】
2012119133.tif 000010
【図９】
2012119133.tif 000011
【図１０】
2012119133.tif 000012
【図１１】
2012119133.tif 000013